(57)【要約】      （修正有）【課題】幹と一体的に根を抜根できる抜根装置およびトラクターを提供する。【解決手段】伐根装置は、樹木の幹と一体的に根を抜根するものである。抜根装置の進行方向側の端部に設けられた少なくとも１つの回転体１２を含み、少なくとも１つの回転体１２は、進行方向の前方側において露出し、かつ、前方側においては下から上に回転するように構成されており、回転体１２の表面には、樹木の幹と接触し係り合うことにより、接触した樹木を上方向に持ち上げることが可能な係合部が設けられていて、幹と一体化して根を抜根する。【選択図】図１
2019017353.tif 000002
【特許請求の範囲】
【請求項１】
樹木の幹と一体的に根を抜根する抜根装置であり、
前記抜根装置の進行方向側の端部に設けられた少なくとも１つの回転体を含み、
前記少なくとも１つの回転体は、進行方向の前方側において露出し、かつ、前方側においては下から上に回転するように構成されており、
前記回転体の表面には、樹木の幹と接触し係り合うことにより、前記接触した樹木を上方向に持ち上げることが可能な係合部が設けられている抜根装置。
【請求項２】
請求項１において、
前記回転体は、前方の露出した部分において、平面領域を有する抜根装置。
【請求項３】
請求項１または２において、
前記回転体の進行方向の前側に、傾斜した幹を立ち上げるための立ち上げ部が設けられている抜根装置。
【請求項４】
請求項１〜３のいずれかにおいて、
前記抜根装置は、走行体に取り付け可能な装着部を有する抜根装置。
【請求項５】
請求項１〜４のいずれかにおいて、
前記回転体は、回転駆動機構により回転力を与えられ、
前記回転駆動機構は、回転駆動軸と、前記回転駆動軸に従動する歯車とを含み、
前記回転体は、前記歯車に従動して回転する、抜根装置。
【請求項６】
請求項５において、
前記回転体は、内面に凹凸を有する回転ベルトから構成され、
前記回転ベルトの凹凸と前記歯車とが係合し、
前記係合部は、前記回転ベルトに設けられている抜根装置。
【請求項７】
請求項５において、
前記回転体は、前記歯車にかみ合う回転チェーンと、
前記回転チェーンに取り付けられた回転ベルトまたは回転板とを含み、
前記係合部は、前記回転ベルトまたは前記回転板に設けられている抜根装置。
【請求項８】
請求項１〜７のいずれかにおいて、
前記少なくとも１つの回転体は、第１の回転体と、第２の回転体とを含み、
前記第１の回転体および前記第２の回転体は、前方斜め方向に伸びるように設けられ、かつ、互いに前方にいくにしたがって離れる方向に伸びている、抜根装置。
【請求項９】
請求項８において、
前記第１の回転体および前記第２の回転体は、所定時間当たりの回転数が異なる、抜根装置。
【請求項１０】
請求項１〜９のいずれかに記載の抜根装置と、
走行体と、を含み、
前記抜根装置は前記走行体の進行方向の前部および後部の少なくとも一方に取り付けられているトラクター。
【発明の詳細な説明】
【技術分野】
【０００１】
本発明は、樹木の根を抜くための抜根装置に関する。
【背景技術】
【０００２】
一般的に、根株を掘り起こすに当たって、樹木の幹を切り倒したのちに、土中から根株を掘り起こすことが行われている。根株を掘り起こすに当たって、動力により駆動されるアームの先に爪体を設け、爪体を土中に入れて根株を掘起すことが行われている（特許文献１参照）。
【先行技術文献】
【特許文献】
【０００３】
【特許文献１】特開平１１−５６１２９号公報
【発明の概要】
【発明が解決しようとする課題】
【０００４】
本発明の目的は、幹と一体的に根を抜根できる抜根装置およびトラクターを提供することにある。
【課題を解決するための手段】
【０００５】
本発明の抜根装置は、
樹木の幹と一体的に根を抜根する抜根装置であり、
前記抜根装置の進行方向側の端部に設けられた少なくとも１つの回転体を含み、
前記少なくとも１つの回転体は、進行方向の前方側において露出し、かつ、前方側においては下から上に回転するように構成されており、
前記回転体の表面には、樹木の幹と接触し係り合うことにより、前記接触した樹木を上方向に持ち上げることが可能な係合部が設けられている。
【０００６】
本発明においては、回転体の表面には、樹木の幹と接触し係り合うことにより、前記接触した樹木を上方向に持ち上げることで、樹木の幹と一体的に根を抜根することができる。
【０００７】
本発明において、前記回転体は、前方の露出した部分において、平面領域を有することができる。これにより、回転体と樹木の幹との接触面積を大きくすることができる。
【０００８】
本発明において、前記回転体の進行方向の前側に、傾斜した幹を立ち上げるための立ち上げ部が設けられていることができる。これにより、樹木が倒れていたとしても、確実に回転体と樹木の幹とを接触させることができる。
【０００９】
本発明において、前記抜根装置は、走行体に取り付け可能な装着部を有することができる。これにより、走行体を走行させることで、その動力を用いながら抜根装置を移動させながら抜根させることができる。
【００１０】
本発明において、前記回転体は、回転駆動機構により回転力を与えられ、前記回転駆動機構は、回転駆動軸と、前記回転駆動軸に従動する歯車とを含み、前記回転体は、前記歯車に従動して回転することができる。回転体を簡易な構成により回転させることができる。
【００１１】
本発明において、前記回転体は、内面に凹凸を有する回転ベルトから構成され、前記回転ベルトの凹凸と前記歯車とが係合し、前記係合部は、前記回転ベルトに設けられていることができる。回転ベルトを用いることで、樹木と回転体との接触面積をより大きくすることができる。
【００１２】
本発明において、前記回転体は、前記歯車にかみ合う回転チェーンと、前記回転チェーンに取り付けられた回転ベルトまたは回転板とを含み、前記係合部は、前記回転ベルトまたは前記回転板に設けられていることができる。回転チェーンを通じて回転ベルトまたは回転板を回転させることで、回転ベルトや回転板が回転時のスリップを抑えることができる。
【００１３】
本発明において、前記少なくとも１つの回転体は、第１の回転体と、第２の回転体とを含み、前記第１の回転体および前記第２の回転体は、前方斜め方向に伸びるように設けられ、かつ、互いに前方にいくにしたがって離れる方向に伸びていることができる。第１の回転体と第２の回転体の協働の上で、幹と根を一体的に抜根することができる。
【００１４】
本発明において、前記第１の回転体および前記第２の回転体は、所定時間当たりの回転数が異なることができる。これにより、回転数が大きい方の回転体に接触した幹が速く持ち上がることになるため、回転数が小さい方の回転体の方に倒れやすくなり、回転数のす小さい方の回転体の外側に放出されやすくなる。
【００１５】
本発明のトラクターは、本発明の抜根装置と、走行体と、を含み、前記抜根装置は前記走行体の進行方向の前部および後部の少なくとも一方に取り付けられている。
【図面の簡単な説明】
【００１６】
【図１】実施の形態に係る抜根装置を模式的に示す図である。
【図２】実施の形態に係る抜根装置の使用時の動作例を模式的に示す図である。
【図３】実施の形態に係る抜根装置の使用時の動作例を模式的に示す図である。
【図４】抜根装置の回転体を模式的に示す図であり、（Ａ）は回転体の平面図であり、（Ｂ）は（Ａ）のＡ１−Ａ１線に沿った断面図であり、（Ｃ）は（Ａ）の右からみた側面図である。
【発明を実施するための形態】
【００１７】
以下、本発明の好適な実施の形態について図面を参照しながら説明する。
【００１８】
１．伐根装置
本実施の形態に係る抜根装置１０は、樹木の幹と一体的に根を抜根するものである。
【００１９】
抜根装置１０は、抜根装置１０の進行方向側の端部に設けられた少なくとも１つの回転体１２を含む。
【００２０】
回転体１２は、進行方向の前方側において露出し、かつ、前方側においては下から上に回転するように構成されている。回転体１２の表面には、樹木の幹と接触し係り合うことにより、接触した樹木を上方向に持ち上げることが可能な係合部１４が設けられている。係合部１４は樹木の幹と係り合うものであれば特に限定されず、突起状のもの、爪状のものなどを挙げることができる。
【００２１】
回転体１２は、前方の露出した部分において、平面領域を有することができる。樹木の幹の部分との接触面積を確保するためである。
【００２２】
回転体１２の進行方向の前側に、傾斜した幹を立ち上げるための立ち上げ部１６が設けられていることができる。これにより、傾斜した幹を立ち上げ、その幹を回転体１２に係合しやすくなる。立ち上げ部１６は、金属製の板などで構成することができる。
【００２３】
回転体１２は、回転駆動機構により回転力を与えられ、回転駆動機構は、回転駆動軸と、回転駆動軸に従動する歯車とを含むことができる。回転体１２は、歯車に従動して回転させることができる。回転駆動機構は制御部により制御可能とすることができる。
【００２４】
回転体１２は、歯車にかみ合う回転チェーン２２と、回転チェーン２２に取り付けられた回転ベルト２０または回転板とを含み、係合部１４は、回転ベルト２０または回転板に設けられているようにすることができる。
【００２５】
具体的には、回転体１２は、内面に凹凸を有する回転ベルト２０から構成され、回転ベルト２０の凹凸と前記歯車とが係合するようにしてもよい。
【００２６】
抜根装置１０は、少なくとも１つの回転体１２は、第１の回転体１２ａと、第２の回転体１２ｂとを含むことができる。第１の回転体１２ａおよび第２の回転体１２ｂは、前方斜め方向に伸びるように設けられ、かつ、互いに前方にいくにしたがって離れる方向に伸びるようにすることができる。
【００２７】
第１の回転体１２ａおよび前記第２の回転体１２ｂは、所定時間当たりの回転数が異ならせることができる。回転体１２の回転数が異なることで、抜かれた幹が２つの回転体１２に係合すると、回転数の小さい方の回転体１２側に倒れやすくなると共に、その回転数の小さい方の回転体１２の外側に放出されやすくなる。
【００２８】
２．回転体１２の具体的構成
回転体１２は具体的に次の態様とすることができる。
【００２９】
（１）スプロケットと回転チェーン２２により実現することができる。たとえば、次の態様がある。１）第１の態様として、回転チェーン２２に係合部１４を取り付ける態様がある。２）第２の態様として、帯体または板状体を複数の回転チェーン２２の間に渡されるように取り付け、回転チェーン２２を２つ以上のスプロケットなどの歯車に係合させ、歯車を回転させることで、回転チェーン２２を回転させて、帯体または板状体を回転させる態様がある。
【００３０】
（２）第１の歯車２４にて、回転チェーン２２を回転させ、回転チェーン２２の回転により、回転チェーン２２の両側の第２の歯車２６を回転させ、第２の歯車２６に接続する従動軸２８を回転させ、その従動軸２８に取り付けられた回転ベルト２０を回転させてもよい。回転ベルト２０の内側の裏面には、回転ベルト２０が内側に窪まないようにするための抑え部２１があってもよい。
【００３１】
（３）回転体１２は、ゴムや鋼製の細板を平行に並べ環状に連結したものや、回転ベルト２０を回転させる態様としてもよい。環状に連結したものの外側の表面や、回転ベルト２０の外側の表面に係合部１４を設けることができる。
【００３２】
抜根装置１０は、走行体３０に取り付け可能な装着部を有することができる。接続部は車体などで使われる連結部や接続部などにより構成することができる。具体的には、トラクター１００の構成要素として抜根装置１０を走行体３０に装着することができる。抜根装置１０は、走行体３０の進行方向の前部および後部の少なくとも一方に取り付けけることができる。回転駆動機構に動力を与える動力源について、抜根装置１０が走行体３０に連結している場合には、その走行体３０を駆動するための動力源を用いてもよいし、または、抜根装置１０が独立して動力源を有していてもよい。
【００３３】
２．作用効果
従来は、幹を切った後に、トラクター１００に付いたシャベルなどを使って根を掘り起こすことが一般的であった。
【００３４】
本実施の形態によれば、回転体１２の表面には、樹木の幹と接触し係り合うことにより、前記接触した樹木を上方向に持ち上げ、その樹木の幹と根とを一体的に抜くことができる。従来のように根を掘り起こすことなく、幹と根を一体的に抜くことができため、作業効率も向上する。
【００３５】
抜根装置１０を人力または動力により移動させることで、並んでいる樹木を連続的に幹と一体的に抜根することができる。
【００３６】
本実施の形態は、本発明の範囲内において種々の変形が可能である。
【産業上の利用可能性】
【００３７】
本発明は、樹木を育成し、その樹木を利用する産業に広く適用することができる。
【符号の説明】
【００３８】
１０  抜根装置
１２  回転体
１２ａ  第１の回転体
１２ｂ  第２の回転体
１４  係合部
１６  立ち上げ部
２０  回転ベルト
２１  抑え部
２２  回転チェーン
２４  第１の歯車
２６  第２の歯車
２８  従動軸
３０  走行体
１００  トラクター
１００  トラクター
【図１】
2019017353.tif 000003
【図２】
2019017353.tif 000004
【図３】
2019017353.tif 000005
【図４】
2019017353.tif 000006